(57)【要約】  【課題】  ナビゲーション装置の各種機能や表示の説明をユーザが容易に取得可能にする。  【解決手段】  ナビゲーション装置の画面に表示したヘルプボタンが選択されると、ナビゲーション装置の機種情報、バージョン情報、及び操作ボタン等の状態情報と、オンラインヘルプセンタＵＲＬを取得し、二次元バーコードに変換して表示する。これをユーザが携帯電話で撮像すると、携帯電話は、撮像した二次元バーコードを解析して元の情報を表示する。表示したサーバＵＲＬが選択されると、携帯電話は、オンラインヘルプセンタセンタにナビゲーション装置の操作ボタン等の状態情報を送信し、表示されている各操ボタンに対する操作説明（マニュアル情報）を取得して、表示する。  【選択図】  図５
2006125871.tif 000002
【特許請求の範囲】
【請求項１】
情報センタの通信用アドレスが記憶される記憶手段と、
ヘルプボタンが選択されたか否かを判断する判断手段と、
該判断手段によりヘルプボタンが選択されたと判断された場合、表示部に表示されている操作ボタンが何であるかを取得する取得手段と、
該取得した操作ボタンの操作説明情報が閲覧可能な通信用アドレスを前記記憶手段から取得し、前記取得した操作ボタンを特定する情報と通信用アドレスを、所定の変換方式による符号化画像に変換する変換手段と、
前記変換した符号化画像を前記表示部に表示する表示手段と、
を具備することを特徴とするナビゲーション装置。
【発明の詳細な説明】
【技術分野】
【０００１】
本発明は、ナビゲーション装置に係り、例えば、各機能の操作説明に関する。
【背景技術】
【０００２】
車両の走行をアシストする装置としてナビゲーション装置が広く普及しており、例えば、特許文献１に記載された技術等が各種提案されている。
このナビゲーション装置は、車両の現在位置を地図と共に表示したり、入力された目的地までの走行経路を探索して地図情報に表示すると共に走行経路を案内したりする等各種機能を備えている。
これら各種機能を使用する場合、ユーザは、機能に応じた操作、例えば、目的地の入力、目的地として使用する地点の登録、経路探索の指示、表示されている地図のサイズ変更、表示形式の変更等の操作を行うようになっている。
【０００３】
【特許文献１】特開平９−３３００２５
【発明の開示】
【発明が解決しようとする課題】
【０００４】
ナビゲーション装置の取り扱いの説明は、一般に印刷物による取扱説明書によるが、最近のナビゲーション装置の多機能化・高機能化によりその厚みが増し、ユーザにとっては見づらい物となっている上、限られた車内での保管場所確保が難しくなっている。
【０００５】
一方、取扱説明書をデータ化して保存しておき、ナビゲーションの画面上で必要な操作説明を表示するようにしたナビゲーション装置が存在する。
このナビゲーション装置によれば取扱説明書の保管場所が不要になるが、その後の機能追加や機能変更に対応できないため取扱説明書が陳腐化するという問題がある。
また、一般にナビゲーション装置は画面が小さいため、操作中の画面と取扱説明の画面を同時に表示できないか、できたとしても一方の画面表示が他方の画面で制限されてしまい、結果として操作性及び視認性が低下していた。
【０００６】
本発明は、ナビゲーション装置の各種機能や表示の説明をユーザが容易に取得可能なナビゲーション装置を提供することを第１の目的とする。
【課題を解決するための手段】
【０００７】
請求項１に記載した発明では、情報センタの通信用アドレスが記憶される記憶手段と、ヘルプボタンが選択されたか否かを判断する判断手段と、該判断手段によりヘルプボタンが選択されたと判断された場合、表示部に表示されている操作ボタンが何であるかを取得する取得手段と、該取得した操作ボタンの操作説明情報が閲覧可能な通信用アドレスを前記記憶手段から取得し、前記取得した操作ボタンを特定する情報と通信用アドレスを、所定の変換方式による符号化画像に変換する変換手段と、前記変換した符号化画像を前記表示部に表示する表示手段と、をナビゲーション装置に具備させることで前記目的を達成する。
【発明の効果】
【０００８】
請求項１に記載した発明によれば、表示部に表示されている操作ボタンを特定する情報と、操作説明情報が閲覧可能な通信用アドレスを、所定の変換方式による符号化画像に変換して表示するので、ユーザは、例えば、携帯電話等の情報処理端末で符号化画像を撮像して元の情報を解析することで、オンラインヘルプセンタから容易に、操作ボタンの操作説明を取得することができる。
【発明を実施するための最良の形態】
【０００９】
以下、本発明のナビゲーション装置における好適な実施の形態について、図１から図６を参照して詳細に説明する。
（１）実施形態の概要
本実施形態では、ナビゲーション装置の各種表示画面中に、ヘルプボタンを配置しておく。
そして、ユーザがヘルプボタンを選択すると、ナビゲーション装置の機種情報、バージョン情報、及び操作ボタン等の状態情報と、オンラインヘルプセンタＵＲＬを取得し、二次元バーコード（符号化画像）に変換して、表示装置に表示する。
【００１０】
ユーザが表示された二次元バーコードを携帯電話等の携帯情報端末で撮像すると、携帯電話は、撮像した二次元バーコードを解析して元の情報（ナビゲーション装置の機種情報、バージョン情報、及び操作ボタン等の状態情報と、オンラインヘルプセンタＵＲＬ）を表示する。
ユーザが表示されたサーバＵＲＬを選択すると、携帯電話は、オンラインヘルプセンタセンタにナビゲーション装置の機種情報、バージョン情報、及び操作ボタン等の状態情報を送信し、オンラインヘルプセンタセンタから、表示されている各操作ボタンに対する操作説明（マニュアル情報）を取得して、表示する。
【００１１】
このように本実施形態によれば、ナビゲーション装置に特別な通信機能を付加することなく、携帯電話を通して各操ボタンに対する操作説明（マニュアル情報）を、ナビゲーションの表示画面とは別画面で確認することができる。
【００１２】
（２）実施形態の詳細
図１は、本実施形態におけるナビゲーション装置の構成を表したものである。
この図１に示すように、ナビゲーション装置は、各種プログラムやデータに従ってナビゲーション装置全体を制御するＣＰＵ１０を備えており、ＣＰＵ１０には現在位置検出装置１１、記憶装置１２、表示装置１３、入力装置１４、音声出力装置１５、その他の装置（計時手段としての時計等）が接続されている。
【００１３】
現在位置検出装置１１は、ナビゲーション装置が搭載される車両の現在位置（緯度、経度からなる絶対座標値）を検出するためのものであり、人工衛星を利用して車両の位置を測定するＧＰＳ（Ｇｌｏｂａｌ  Ｐｏｓｉｔｉｏｎｉｎｇ  Ｓｙｓｔｅｍ）受信装置１１１、地磁気を検出して車両の方位を求める地磁気センサ１１２、ジャイロセンサ１１３、車速センサ１１４等の１又は複数が使用される。
【００１４】
記憶装置１２は、ＲＯＭ、ＲＡＭの他、フレキシブルディスク、ハードディスク、磁気テープ等の磁気記録媒体、メモリチップやＩＣカード等の半導体記録媒体、ＣＤ−ＲＯＭやＭＯ、ＰＤ（相変化書換型光ディスク）等の光学的に情報が読み取られる記録媒体、その他各種方法でコンピュータプログラムやデータが記録される記録媒体が含まれる。
記録媒体には、記録内容に応じて異なる媒体を使用するようにしてもよい。
【００１５】
記憶装置１２は、ＰＯＩ（施設情報）ＤＢ１２１、地図データベース（ＤＢ）１２２、機種固有情報格納部１２３、バージョン情報格納部１２４、状態情報格納部１２５、オンラインヘルプサーバのＵＲＬ格納部１２６、経路案内プログラム１２７、ナビ状態監視プログラム１２８、バーコード変換プログラム１２９、その他の各種プログラムやデータが格納される。
【００１６】
ＰＯＩ（施設情報）ＤＢ１２１は、目的地を設定する際に使用され、目的地の設定対象となる施設に関する施設情報が格納されている。
ＰＯＩ（施設情報）ＤＢ１２１には、ＰＯＩ（施設情報）ＤＢ１２１には、施設情報番号、名称、ジャンル、電話番号、住所、位置座標、メールアドレス、携帯サイト用ＵＲＬ（以下単にＵＲＬという）等が各施設毎に格納されている。
【００１７】
地図ＤＢ１２２は、車両の現在地周辺や目的地周辺等の各種地図や道路を表示装置１３に表示するための地図情報や、目的地までの経路探索に使用される道路情報等の各種地図や道路に関するデータが格納されたデータベースである。
【００１８】
機種固有情報格納部１２３には、ナビゲーション装置の機種型番、製造番号、オプション機器構成の機種情報等が格納される。
バージョン情報格納部１２４には、ナビ状態監視プログラム１２８によって取得される、記憶装置内の全てのプログラムのバージョン、及びバージョンアップの履歴等が格納され、対象プログラムとしては、例えば、目的地設定プログラム、経路探索プログラム、地点登録プログラム等の経路案内プログラムが該当する。
【００１９】
状態情報格納部１２５には、表示装置１３に表示されているナビゲーション画面の表示状態、例えば、操作Ａにおける画面ＢでＣ１〜Ｃｎの操作ボタンと、Ｄ１〜Ｄｎの表示がされている、等の現在表示画面等の状態情報が格納される。
状態情報格納部１２５に格納される、状態情報は、ナビ状態監視プログラム１２８によって取得される。
なお、表示画面に表示される操作ボタンＣや表示Ｄについては、ナビゲーションの機能に限定されるものではなく、例えば、オーディオ機能を利用するための操作ボタンや表示がされている場合にはそれらの表示状態も状態情報として情報情報格納部１２５に格納される。
【００２０】
オンラインヘルプサーバのＵＲＬ格納部１２６には、オンラインヘルプセンタへ接続する際に必要になるＵＲＬが格納される。
このＵＲＬは、携帯電話等の携帯情報端末から接続可能なＵＲＬが格納される。
【００２１】
経路案内プログラム１２７は、目的地設定機能、経路探索機能、予想到着時刻算出機能、その他の各種経路案内に必要な機能をそなえたプログラムである。
目的地設定機能は、ユーザ入力に基づく目的地の設定処理を行う（目的地設定手段として機能）機能である。
経路探索機能は、地図ＤＢ１２２に格納された道路データを使用して、設定された目的地までの走行経路として、装置が推奨する推奨経路、有料道路を優先的に走行する有料優先経路、有料道路よりも一般道を優先して走行する一般優先経路、走行距離が短い距離優先経路、別ルート経路等の複数の走行経路を探索する（経路探索手段として機能）機能である。
予想到着時刻算出機能は、経路探索機能で設定された走行経路を通過して目的地まで走行した場合の目的に到着する予想時刻を算出する機能で、各道路の法定速度速度や、渋滞地点の有無、信号の有無、距離等から総合的に算出される。
その他のプログラムは、走行経路に従って地図の表示を変更したり、進路変更地点の手前において進路変更地点の詳細図を画面表示したり、音声により進路変更を案内したり等の各種案内に必要なプログラムである。
【００２２】
ナビ状態監視プログラム１２８、ナビゲーション装置における各プログラムのバージョンアップを監視し、そのバージョンとバージョンアップ履歴をバージョン情報格納部１２４に格納し、また、ナビゲーション装置の操作状態を収集して状態情報格納部１２５に格納するプログラムである。
【００２３】
バーコード変換プログラム１２９は、ナビゲーション装置の機種情報、バージョン情報、及び状態情報（以下、ヘルプ箇所特定情報という）と、オンラインヘルプサーバのＵＲＬとから、携帯電話に情報伝達するための二次元バーコード（符号化画像）を作成するプログラムである。
符号化画像変換プログラム１２９は、ＣＰＵ１０と協働して、本実施形態における変換手段として機能する。
本実施形態において、符号化画像としては二次元バーコードが使用される。
【００２４】
二次元バーコードは、１方向にだけ情報を持つ通常のバーコードを積み上げた形の「スタック型二次元コード」と、碁盤の目のような形をした「マトリックス型二次元コード」等いずれの形式を採用することも可能である。
二次元バーコードの作成及び解析は、例えば、特開２００４−１６４５３２、特開２００２−１３７３９４、特開平１０−５５４２０号、特開平１１−３０６２７２号等に記載された各種の周知方法により実現される。
【００２５】
表示装置１３には、車両周辺や探索された走行経路周辺の地図や、探索経路、本実施形態により作成された符号化画像（以下、本実施形態の説明において二次元バーコードについて説明する）が表示される。
また表示装置１３には、画面表示されている各操作ボタンや表示の説明書をユーザが携帯電話から取得するためのヘルプボタンが表示される。
このヘルプボタンが選択されると、バーコード変換プログラム１２９により、二次元バーコードが作成される。
【００２６】
表示装置１３は、液晶表示装置、ＣＲＴ等の各種表示装置が使用される。
なお、この表示装置１３は、例えばタッチパネル等の、入力装置１４としての機能を兼ね備えたものとすることができる。
【００２７】
入力装置１４は、目的地の入力、探索された走行経路の選択、「ヘルプ」ボタンによる二次元バーコードへの変換の指示等の各種操作や入力をする際に使用される。
入力装置１４には、タッチパネル（スイッチとして機能）、キーボード、マウス、ライトペン、ジョイスティック、赤外線等によるリモコン、音声認識装置などの各種の装置が使用可能である。
【００２８】
音声出力装置１５は、車内に配置された複数のスピーカで構成され、音声制御部で制御された音声、例えば、音声による経路案内を行う場合の案内音声等が出力されるようになっている。この音声出力装置１５は、オーディオ用のスピーカと兼用するようにしてもよい。
【００２９】
図２は、携帯端末装置の一例としての携帯電話の構成を表したものである。
この携帯電話は、ＣＰＵ３０、記憶装置３１、表示装置３２、撮像装置（カメラ）３３、音声入力装置３４、音声出力装置３５、入力装置３６、通信装置３７、その他の装置（計時手段としての時計等）を備えている。
ＣＰＵ３０は、記憶装置３１に格納された各種プログラムやデータに従って携帯電話全体の制御を行う。
【００３０】
記憶装置３１は、ＲＯＭやＲＡＭ、場合によっては半導体記憶装置等で構成され、符号化画像認識プログラム３１１、通信プログラム３１２、その他のプログラムやデータが格納される。
【００３１】
符号化画像認識プログラム３１１は、撮像装置で撮像された二次元バーコードを解析して元情報（ヘルプ箇所特定情報、ＵＲＬ）を認識し、表示装置３２に画面表示するプログラムである。
ＣＰＵ３０は、この符号化画像認識プログラム３１１に従って、ナビゲーション装置の符号化画像変換プログラムで二次元バーコードを作成する際に使用される各種方式に対応した方式で二次元バーコードの解析を行う。
【００３２】
通信プログラム３１２は、画面表示した元情報に含まれるサーバＵＲＬに基づくブラウザ機能を備えたプログラムである。
元情報に含まれるサーバＵＲＬが選択された場合、ブラウザ機能により、該当するＵＲＬのオンラインヘルプサーバに対して、解析したヘルプ箇所特定情報（機種情報、バージョン情報、状態情報）を送信し、これによりオンラインヘルプサーバから送信されるマニュアル情報をを受信してその内容を表示装置３２に表示する。
【００３３】
表示装置３２は、各種表示装置の使用が可能であるが、本実施形態では、液晶表示装置やプラズマディスプレイ等が使用され、施設情報、ＵＲＬで指定されるホームページの内容等の各種情報が表示される。
【００３４】
撮像装置（カメラ）３３は撮像手段として機能し、画像を撮像するためのＣＣＤ（電荷結合素子）を備えたカメラで構成されている。
撮像装置３３は、画像や外部の景色等を撮像する。本実施形態では、ナビゲーション装置の表示装置１３に表示された二次元バーコードの撮像に使用される。
【００３５】
音声入力装置３４と音声出力装置３５は、携帯電話としての通話機能を使用する際に音声の入出力装置として機能する。
【００３６】
入力装置３６は、テンキー等の各種入力キーを備え、電話番号を入力したり、メール機能を使用する際のテキスト入力に使用したり、表示装置３２に表示されたメールアドレスやＵＲＬの選択をする際に使用される。
通信装置３７は、携帯電話機能を使用する際の通信と、インターネット等の通信網に接続してＵＲＬやメールアドレスで指定された対象との間での各種データ通信を行う。
【００３７】
図３は、本実施形態における携帯電話に対して、ナビゲーション装置の機種情報、バージョン情報、状態情報に対応したマニュアル情報を提供するオンラインヘルプサーバの構成を表したものである。
オンラインヘルプサーバは、ＣＰＵと各種記憶装置を備えたサーバシステムで構成されており、携帯電話向け通信装置４１と、ナビゲーション装置の各機種や各プログラムのバージョンに対応したマニュアル（操作説明書）の電子化データが格納されたマニュアルＤＢ４２を備えている。
【００３８】
また、オンラインヘルプサーバサーバは、マニュアル検索装置４４を備えており、ＣＰＵと協働して、携帯電話向け通信装置４１を介して携帯電話から受信するヘルプ箇所特定情報（機種情報、バージョン情報、状態情報）に対応したマニュアル情報を検索するようになっている。
【００３９】
次に、このように構成されたナビゲーション装置により、ヘルプ箇所特定情報とＵＲＬを二次元バーコードを介して携帯電話に受け渡し、携帯電話でヘルプ箇所特定情報に対応したマニュアル情報を取得するシステムの動作について説明する。
図４は、ナビゲーション装置の或る状態における表示装置１３の表示画面を表したものである。
この図４に例示された表示画面では、画面ほぼ中央に車両の現在位置（図中点線の円と２等辺三角印で表示され、その頂角方向が進行方向）が表示されている。
【００４０】
そして、表示装置１３には、車両現在地周辺の地図が画面表示されると共に、画面の周辺下側には、地図の表示領域（縮小率）を変更する「広域」ボタン、任意の地点を指定して目的地や経由地として登録する場合の「地点登録」ボタン、目的地までの走行経路を再度探索する「再探索」ボタン、地図の表示形式を変更する「表示変更」ボタン、その他「詳細」ボタン、「ＯＦＦ」ボタン、等の操作ボタン１３０ａが配置されている。
また、表示装置１３には、表示画面の周辺左側には、方位表示、縮尺表示、ＶＩＣＳの状態表示、到着予想時間の表示、目的までの残り距離の表示等の、各種表示がなされている。
【００４１】
更に、表示装置１３には、表示画面の上部には「？」ボタン（ヘルプボタン）１３１が配置されている。
また、このヘルプボタン１３１は、ユーザが携帯電話を介してオンラインヘルプサーバから、表示装置１３の表示画面に対応したマニュアル情報を取得する際に選択するボタンで、このボタンの選択により、二次元バーコードが作成される。
【００４２】
図５は、ヘルプボタン１３１が選択された場合の、ナビゲーション装置の処理動作、及び携帯電話による処理動作について説明する。
ユーザがヘルプボタン１３１を選択すると、ＣＰＵ１０は、ヘルプ箇所特定情報（機種情報、バージョン情報、状態情報）とオンラインヘルプサーバのＵＲＬを記憶装置から読み出し、符号化画像変換プログラム１２９に従って、二次元バーコードを作成し、図５（ａ）に示されるように、表示装置１３に表示する。
【００４３】
なお、図５（ａ）では、画面の中心に二次元バーコード１３２が表示されているが、走行経路決定ボタン１３０の下側等、画面中心からずらした位置に、携帯電話で認識できる範囲で小さく表示するようにしてもよい。これにより、地図画面の表示領域が一時的に減少することが防止される。
【００４４】
ユーザがヘルプボタン１３１を選択すると、その選択したボタンは「戻る」ボタン１３１´に変換される。
この「戻る」ボタン１３１´を選択すると、二次元バーコード１３２が表示された状態から、表示前の画面に戻り、ボタンも元のヘルプボタン１３１に戻る。
【００４５】
ナビゲーション装置の表示装置１３に二次元バーコード１３２が表示された状態において、ユーザが撮像機能を備えた携帯電話で撮像すると（図５（ｂ））、携帯電話のＣＰＵ３０は、撮像された画像データをＲＡＭに格納する。
次いでＣＰＵ３０は、ＲＡＭに格納された画像データから、二次元バーコード１３２の元情報を解析して、ＲＡＭに一次記憶するとともに、元情報を表示装置３２に表示する。
【００４６】
図５（ｃ）は、ナビゲーション装置で作成された二次元バーコード１３２を撮像後に解析した元情報を、表示装置３２に表示した状態を例示したものである。
この図５（ｃ）に示されるように、オンラインヘルプサーバのＵＲＬ（http:〜.jp/）と、ヘルプ箇所特定情報が表示装置３２に表示される。
【００４７】
携帯電話に表示されたＵＲＬをユーザが選択すると、ＣＰＵ３０は、該ＵＲＬのオンラインヘルプサーバに接続し、ＲＡＭに格納されている元情報のうち、ヘルプ箇所特定情報（機種情報、バージョン情報、状態情報）を送信する。
そして、ＣＰＵ３０は、オンラインヘルプサーバから送信されてくる、ヘルプ箇所特定情報に対応したマニュアル情報を取得し、ＲＡＭに格納すると共に表示装置３２に表示する。
【００４８】
すなわち、ＣＰＵ３０は、図５（ｄ）に示されるように、受信したマニュアル情報に従って、状態情報の各操作ボタン毎の操作説明書（使用方法）を表示するための見出しをリスト表示する。
ユーザはリスト表示された項目を選択することで、例えば、「１．[広域]ボタンの使用方法」を選択すれば、ナビゲーション装置の表示装置１３に表示された「広域」ボタン（図４参照）の操作説明が携帯電話の表示装置３２に表示される。
【００４９】
これにより、ユーザは、ナビゲーション装置の通信機能の有無にかかわらず、ナビゲーション装置の表示画面とは切り離して、かつ、操作ボタンの操作説明を容易に確認することができる。
【００５０】
次に、本実施形態における、ナビゲーション装置、携帯電話、オンラインヘルプセンタの各処理動作について、図６のフローチャートに従って説明する。
まずナビゲーション装置における符号化画像に変換する処理について説明する。
ナビゲーション装置のＣＰＵ１０は、ナビ状態監視プログラムに従い、ユーザの操作に応じた各種操作を監視することで、ナビ情報を監視し、機種情報、バージョン情報、状態情報を収集する（ステップ２１）。
【００５１】
すなわち、ＣＰＵ１０は、機種変更やプログラムのバージョンアップがされたか否かを監視し、変更が合った場合には、機種固有情報格納部及びバージョン情報格納部に変更後の情報を格納する。
また、ＣＰＵ１０は、ユーザによる目的設定や経路探索の選択といったナビゲーション
種固有情報を読み込む（ステップ２３）。
更に、ＣＰＵ１０は、バージョン情報格納部１２４からバージョン情報を読み込み（ステップ２４）、状態情報格納部１２５から状態情報を読み込み（ステップ２５）、オンラインヘルプサーバのＵＲＬ格納部１２６からＵＲＬを読み込む（ステップ２６）。
【００５２】
そして、ＣＰＵ１０は、読み込んだ機種情報、バージョン情報、状態情報（ヘルプ箇所特定情報）とＵＲＬより、符号化画像変換プログラムに従って二次元バーコードを作成し、表示装置１３に表示する（ステップ２７）。
そしてＣＰＵ１０は、二次元バーコードを作成し表示した状態から、ユーザにより「戻る」ボタン１３１´（図５（ａ）参照）が操作されたか否かを監視し（ステップ２８）、操作がなければ（ステップ２８；Ｎ）ステップ２７に戻って二次元バーコードの表示を継続する。
【００５３】
一方「戻る」ボタン１３１´の操作があれば（ステップ２８；Ｙ）、ＣＰＵ１０は、二次元バーコードを表示する前の画面（図４参照）に表示を戻し（ステップ２９）、電源がオフされたか否かを判断する（ステップ３０）。
電源がオフされていなければ（ステップ３０；Ｎ）、ステップ２１に戻って処理を継続し、オフされた場合には（ステップ３０；Ｙ）処理を終了する。
【００５４】
次に、携帯電話とオンラインヘルプサーバの処理動作について説明する。
ナビゲーション装置の表示装置１３に二次元バーコードが表示（図５（ａ））されると（ステップ２７）、ユーザは、表示された二次元バーコードを携帯電話のカメラ機能を使用して撮影する（ステップ４１、図５（ｂ）参照）。
二次元バーコードが撮影されると、携帯電話のＣＰＵ３０は、撮像画像を解読して解析結果をＲＡＭに格納すると共に表示装置３２に表示する（ステップ４２、図５（ｃ）参照）。
【００５５】
この状態でユーザが画面表示されたオンラインヘルプサーバＵＲＬを選択すると、ＣＰＵ３０は、選択されたＵＲＬのサーバと接続し、解析したヘルプ箇所特定情報（機種情報、バージョン情報、状態情報）をＲＡＭから読み出して送信する（ステップ４３）。
【００５６】
オンラインヘルプサーバは、携帯電話向け通信装置４１を介して携帯電話からのヘルプ箇所特定情報を受信すると（ステップ５１）、マニュアル検索装置４３が、マニュアルページを検索する（ステップ５２）。
すなわち、マニュアル検索装置４３は、受信したナビゲーション装置の機種情報、バージョン情報、状態情報（表示画面上の各種操作ボタンや表示）に対応する最適なマニュアルページをマニュアルＤＢから検索する。
【００５７】
そして、オンラインヘルプサーバは、検索したマニュアルページをマニュアル情報として携帯電話に送信して（ステップ５３）、処理を終了する。
【００５８】
一方、携帯電話のＣＰＵ３０は、オンラインヘルプサーバからヘルプ箇所特定情報に対応した最適なマニュアル情報を受信すると、表示装置３２に受信したマニュアル情報を表示し（ステップ４４）、処理を終了する。
すなわち、ＣＰＵ３０は、受信したマニュアル情報に従って、状態情報の各操作ボタン毎の操作説明書（使用方法）を表示するための見出しをリスト表示する（図５（ｄ）参照）。
ユーザはリスト表示された項目を選択することで、例えば、「１．[広域]ボタンの使用方法」を選択すれば、ナビゲーション装置の表示装置１３に表示された「広域」ボタン（図４参照）の操作説明が携帯電話の表示装置３２に表示される。
【００５９】
以上説明したように、本実施形態によれば、
（１）ナビゲーション装置において、ナビゲーション装置に表示されている状態を特定する情報（機種情報、バージョン情報、状態情報）とオンラインヘルプサーバのＵＲＬを、携帯電話で認識、解読可能な符号化画像（二次元バーコード）に変換して表示装置に表示し、
（２）ユーザが携帯電話に付いているカメラで二次元バーコードを撮影するという簡単な操作だけで、ナビゲーション装置の状態情報とオンラインヘルプサーバのＵＲＬを携帯電話に情報伝達し、
（３）ユーザが、ナビゲーション装置に表示されている各操作ボタン等のマニュアル（操作説明）を、携帯電話の表示装置３２で確認することが可能になる。
【００６０】
このように、通信機能を持たないナビゲーション装置であっても、既に普及している携帯電話等の撮影機能を持った情報携帯端末を簡易に活用することで、ユーザはナビゲーション装置の操作説明や、その他の表示１３０ｂの説明を容易に取得し、確認することができる。
すなわち、本実施形態によれば、ナビゲーション装置に通信用の特別のハードウェアを用いず、また煩雑な携帯電話の操作を必要とせず、ナビゲーション装置から携帯電話への情報伝達を、簡単なユーザ操作で実現することができる。
【００６１】
以上、本発明の情報処理装置における１実施形態について説明したが、本発明は説明した実施形態に限定されるものではなく、各請求項に記載した範囲において各種の変形を行うことが可能である。
例えば、説明した実施形態では、符号化画像変換プログラムにより元情報から作成する符号化画像として二次元バーコードを作成する場合について説明したが、他の符号化画像として電子透かしを作成するようにしてもよい。
【００６２】
この場合の電子透かしアイコンは、直接埋め込み方式や、周波数成分埋め込み方式等の各種周知の電子透かし技術を使用することが可能である。
直接埋め込み方式は、人間が明るい画素の近くの暗い画素は認知しにくいという特性を利用したもので、データの標本値（アイコン）に施設情報を埋め込む方式で、画素を複数のブロックに分割し、輝度を表すビット情報に直接処理を施して透かしを埋め込む方法である。本実施形態では、処理する時間が少ないという利点から、この直接埋め込み方式が採用されている。
一方、周波数成分埋め込み方式は、フーリエ変換（ＦＥＴ）やスペクトル拡散、離散コサイン変換（ＤＣＴ）などに代表されるように、画像データを周波数成分に変換し、画質に影響しないように特定の周波数成分に透かし情報を埋め込む方法である。
【００６３】
また、説明した実施形態では、ナビゲーション装置の表示装置１３に表示されている操作ボタン１３０ａとその他の表示１３０ｂを状態情報として二次元バーコード化する場合について説明したが、いずれか一方、例えば、操作ボタン１３０ａだけ二次元バーコード化の対象とするようにしてもよい。
【００６４】
なお、本実施形態は以下のように構成することも可能である。
（１）車両の走行案内を行うナビゲーション装置であって、
ナビゲーション装置の操作説明情報を提供する情報センタの通信用アドレスと、当該ナビゲーション装置の固有情報とが格納される記憶手段と、
操作説明キーが選択された場合に、前記記憶手段に記憶された通信用アドレスと固有情報、及び当該ナビゲーション装置の操作状態を表す状態情報を、所定の変換方式による符号化画像に変換する変換手段と、
前記変換した符号化画像を表示する表示手段と、
を具備することを特徴とするナビゲーション装置。
（２）前記変換手段は、操作状態を表す状態情報として、前記表示装置に画像表示されている各操作キーが特定される操作特定情報を取得し、状態情報として変換することを特徴とする（１）に記載のナビゲーション装置。
【図面の簡単な説明】
【００６５】
【図１】本発明の１実施形態におけるナビゲーション装置の構成図である。
【図２】携帯端末装置の一例としての携帯電話の構成図である。
【図３】携帯電話に対して、ナビゲーション装置の機種情報、バージョン情報、状態情報に対応したマニュアル情報を提供するオンラインヘルプサーバの構成図である。
【図４】ナビゲーション装置の或る状態における表示装置の表示画面を表した説明図である。
【図５】ヘルプボタンが選択された場合の、ナビゲーション装置の処理動作、及び携帯電話による処理動作を表した説明図である。
【図６】ナビゲーション装置、携帯電話、オンラインヘルプセンタの各処理動作について表したフローチャートである。
【符号の説明】
【００６６】
１０  ＣＰＵ
１１  現在位置検出装置
１２  記憶装置
１２１  ＰＯＩ（施設情報）ＤＢ
１２２  地図ＤＢ
１２３  符号化画像変換プログラム
１２４  経路案内プログラム
１３  表示装置
１４  入力装置
１５  音声出力装置
【図１】
2006125871.tif 000003
【図２】
2006125871.tif 000004
【図３】
2006125871.tif 000005
【図４】
2006125871.tif 000006
【図５】
2006125871.tif 000007
【図６】
2006125871.tif 000008